(57)【要約】【課題】電子文書に付加された補助情報を付箋紙に簡単に印刷することができる技術を提供する。【解決手段】ＰＣ１１０は、プリンタ１２０とラベルプリンタ１３０に接続されている。ＰＣ１１０では、抽出部１１１が補助情報付き文書データＤ１から、補助情報が付加される前の文書データである元文書データＤ２と、第１の補助情報データＤ３とを抽出する。プリンタ１２０用のプリンタドライバ１１２は、抽出部１１１で抽出された元文書データＤ２に基づく印刷指示をプリンタ１２０へ送信する。変換部１１３は、抽出部１１１で抽出された第１の補助情報データＤ３をラベルプリンタ１３０用のラベルプリンタドライバ１１４の入力フォーマットに従った第２の補助情報データＤ４に変換する。ラベルプリンタドライバ１１４は、変換部１１３で変換された第２の補助情報データＤ４に基づく印刷指示をラベルプリンタ１３０へ送信する。【選択図】図３
2015045987.tif 000002
【特許請求の範囲】
【請求項１】
第１のプリンタと第２のプリンタとに接続される印刷指示装置であって、
補助情報が付加された電子文書の文書データから、前記補助情報が付加される前の文書データである元文書データと、前記補助情報のデータである第１の補助情報データと、を抽出する抽出部と、
前記抽出部で抽出された前記元文書データに基づく印刷指示を、前記第１のプリンタへ送信する第１のプリンタ用のプリンタドライバと、
前記抽出部で抽出された前記第１の補助情報データを、前記第２のプリンタ用のプリンタドライバの入力フォーマットに従った第２の補助情報データに変換する変換部と、
前記変換部で変換された前記第２の補助情報データに基づく印刷指示を、前記第２のプリンタへ送信する第２のプリンタ用のプリンタドライバと、を備える
ことを特徴とする印刷指示装置。
【請求項２】
請求項１に記載の印刷指示装置において、
前記変換部は、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する
ことを特徴とする印刷指示装置。
【請求項３】
第１のプリンタおよび第２のプリンタと、第１のプリンタと第２のプリンタとに接続される印刷指示装置とを含む印刷システムであって、
前記印刷指示装置は、
補助情報が付加された電子文書の文書データから、前記補助情報が付加される前の文書データである元文書データと、前記補助情報のデータである第１の補助情報データと、を抽出する抽出部と、
前記抽出部で抽出された前記元文書データに基づく印刷指示を、前記第１のプリンタへ送信する第１のプリンタ用のプリンタドライバと、
前記抽出部で抽出された前記第１の補助情報データを、前記第２のプリンタ用のプリンタドライバの入力フォーマットに従った第２の補助情報データに変換する変換部と、
前記変換部で変換された前記第２の補助情報データに基づく印刷指示を、前記第２のプリンタへ送信する第２のプリンタ用のプリンタドライバと、を備える
ことを特徴とする印刷システム。
【請求項４】
請求項３に記載の印刷システムにおいて、
前記印刷指示装置の前記変換部は、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する
ことを特徴とする印刷システム。
【請求項５】
電子文書の印刷をプリンタに指示するためのプログラムであって、
補助情報が付加された前記電子文書の文書データから、前記補助情報が付加される前の文書データである元文書データと、前記補助情報のデータである第１の補助情報データと、を抽出し、
前記元文書データを第１のプリンタ用のプリンタドライバに送信し、
前記第１の補助情報データを、第２のプリンタ用のプリンタドライバの入力フォーマットに従った第２の補助情報データに変換し、
前記第２の補助情報データを前記第２のプリンタ用のプリンタドライバへ送信する
処理をコンピュータに実行させることを特徴とするプログラム。
【請求項６】
請求項５に記載のプログラムにおいて、
前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する
処理をコンピュータに実行させることを特徴とするプログラム。
【発明の詳細な説明】
【技術分野】
【０００１】
本発明は、プリンタに電子文書の印刷を指示する印刷指示装置、印刷システム、及び、プログラムに関する。
【背景技術】
【０００２】
書類に付箋紙を貼り付けるように電子文書にコメントなどの補助情報を付加することができるアプリケーションが広く実用化されている。
【０００３】
このようなアプリケーションには、補助情報が付加された電子文書を印刷する際に、補助情報をどのように扱うかについて利用者に選択させるものがある。これにより、例えば、特許文献１に開示されているように、利用者は、補助情報が付加される以前の元の電子文書のみを印刷する、補助情報を元の電子文書とともに印刷する、などを選択することができる。
【０００４】
ところで、補助情報を元の電子文書とともに印刷媒体に印刷すると、書類に付箋紙を貼り付けた場合とは異なり、印刷媒体に印刷された補助情報を消すことはできない。このような技術的な課題は、例えば、特許文献２に開示されているように、補助情報を、元の電子文書が印刷される印刷媒体とは別の印刷媒体であって付箋紙として使用される印刷媒体に印刷することによって解決することができる。
【先行技術文献】
【特許文献】
【０００５】
【特許文献１】特開２００９−１１６８０４号公報
【特許文献２】特開２００８−１０２７２３号公報
【発明の概要】
【発明が解決しようとする課題】
【０００６】
しかしながら、特許文献２に開示される印刷システムでは、補助情報が付加された電子文書を印刷する場合、まず、元の電子文書のみを汎用プリンタで印刷した後に、付箋紙プリンタ用のアプリケーションに補助情報を手動で入力して、補助情報を付箋紙プリンタで印刷しなければならない。
【０００７】
以上のような実情を踏まえ、本発明は、電子文書に付加された補助情報の付箋紙への印刷を簡単に指示することができる技術を提供することを目的とする。
【課題を解決するための手段】
【０００８】
本発明の一態様は、第１のプリンタと第２のプリンタとに接続される印刷指示装置であって、補助情報が付加された電子文書の文書データから、前記補助情報が付加される前の文書データである元文書データと、前記補助情報のデータである第１の補助情報データと、を抽出する抽出部と、前記抽出部で抽出された前記元文書データに基づく印刷指示を、前記第１のプリンタへ送信する第１のプリンタ用のプリンタドライバと、前記抽出部で抽出された前記第１の補助情報データを、前記第２のプリンタ用のプリンタドライバの入力フォーマットに従った第２の補助情報データに変換する変換部と、前記変換部で変換された前記第２の補助情報データに基づく印刷指示を、前記第２のプリンタへ送信する第２のプリンタ用のプリンタドライバと、を備える印刷指示装置を提供する。
上記の印刷指示装置において、前記変換部は、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換してもよい。
【０００９】
本発明の別の態様は、第１のプリンタおよび第２のプリンタと、第１のプリンタと第２のプリンタとに接続される印刷指示装置とを含む印刷システムであって、前記印刷指示装置は、補助情報が付加された電子文書の文書データから、前記補助情報が付加される前の文書データである元文書データと前記補助情報のデータである第１の補助情報データとを抽出する抽出部と、前記抽出部で抽出された前記元文書データに基づく印刷指示を前記第１のプリンタへ送信する第１のプリンタ用のプリンタドライバと、前記抽出部で抽出された前記第１の補助情報データを前記第２のプリンタ用のプリンタドライバの入力フォーマットに従った第２の補助情報データに変換する変換部と、前記変換部で変換された前記第２の補助情報データに基づく印刷指示を前記第２のプリンタへ送信する第２のプリンタ用のプリンタドライバと、を備える印刷システムを提供する。
上記の印刷システムにおいて、前記印刷指示装置の前記変換部は、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換してもよい。
【００１０】
本発明の別の態様は、電子文書の印刷をプリンタに指示するためのプログラムであって、補助情報が付加された前記電子文書の文書データから、前記補助情報が付加される前の文書データである元文書データと、前記補助情報のデータである第１の補助情報データと、を抽出し、前記元文書データを第１のプリンタ用のプリンタドライバに送信し、前記第１の補助情報データを、第２のプリンタ用のプリンタドライバの入力フォーマットに従った第２の補助情報データに変換し、前記第２の補助情報データを前記第２のプリンタ用のプリンタドライバへ送信する処理をコンピュータに実行させるプログラムを提供する。
【００１１】
上記のプログラムは、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する処理をコンピュータに実行させてもよい。
【発明の効果】
【００１２】
本発明によれば、電子文書に付加された補助情報の付箋紙への印刷を簡単に指示することができる。
【図面の簡単な説明】
【００１３】
【図１】本発明の一実施形態に係る印刷システムの構成を示す図である。
【図２】図１に示す印刷指示装置のハードウェア構成図である。
【図３】図１に示す印刷指示装置が実行する電子文書の印刷指示処理のフローチャートである。
【図４】図３に示す電子文書の印刷指示処理におけるデータの流れを示す図である。
【図５】補助情報が付加された電子文書の一例を示した図である。
【発明を実施するための形態】
【００１４】
図１は、本発明の一実施形態に係る印刷システム１００の構成を示す図である。図２は、図１に示す印刷指示装置であるＰＣ１１０のハードウェア構成図である。以下、図１及び図２を参照しながら、印刷システム１００の構成について説明する。
【００１５】
図１に示す印刷システム１００は、文書編集アプリケーションの付箋機能またはコメント機能によって補助情報が付加された電子文書を印刷するためのシステムであり、パーソナルコンピュータ（以降、ＰＣと記す）１１０と、汎用のプリンタ１２０と、ラベルプリンタ１３０と、を備えている。
【００１６】
ＰＣ１１０は、プリンタ１２０及びラベルプリンタ１３０に接続された印刷指示装置であり、ＰＣ１１０には、プリンタ１２０用のプリンタドライバとラベルプリンタ１３０用のプリンタドライバがインストールされている。ＰＣ１１０は、図２に示すように、ＰＣ１１０の動作を制御する制御プログラムを実行するための構成として、ＣＰＵ１１０ａと、メモリ１１０ｂと、入出力Ｉ／Ｆ１１０ｃ、補助記憶装置１１０ｄと、可搬記録媒体１１０ｆが挿入される可搬記録媒体駆動装置１１０ｅと、ネットワーク装置１１０ｇとを備え、これらがバス１１０ｈによって相互に接続された構成を有する。
【００１７】
ＣＰＵ１１０ａは、ＰＣ１１０全体の制御を行うものである。メモリ１１０ｂは、制御プログラムの実行の際に、補助記憶装置１１０ｄまたは可搬記録媒体１１０ｆに記憶されている制御プログラムや、制御プログラムの実行に必要な情報を一時的に記憶するものであり、例えば、ＲＡＭ（Random Access Memory）である。入出力Ｉ／Ｆ１１０ｃは、モニタ、キーボード、マウス等とＰＣ１１０との間のインターフェースである。
【００１８】
補助記憶装置１１０ｄは、制御プログラムや制御プログラムの実行に必要な情報を不揮発的に記憶するものであり、例えば、ハードディスク装置である。可搬記録媒体駆動装置１１０ｅは、光ディスクやコンパクトフラッシュ（登録商標）などの可搬記録媒体１１０ｆを収容するものである。可搬記録媒体１１０ｆは、補助記憶装置１１０ｄと同様に、制御プログラムや制御プログラムの実行に必要な情報を不揮発的に記憶するものである。
【００１９】
ネットワーク装置１１０ｇは、ネットワークを介して接続された外部の装置と通信するための装置である。ＰＣ１１０は、入出力Ｉ／Ｆ１１０ｃまたはネットワーク装置１１０ｇを介してプリンタ１２０及びラベルプリンタ１３０と接続されている。
【００２０】
プリンタ１２０は、一般的に使用される汎用のプリンタであり、印刷システム１００の第１のプリンタである。プリンタ１２０は、Ａ３サイズ、Ａ４サイズ、はがきサイズなどの印刷用紙に文書やイメージ等を印刷する。
【００２１】
ラベルプリンタ１３０は、裏面にまたはシールで保護された内面に粘着部を有する印刷媒体を使用するプリンタであり、印刷システム１００の第２のプリンタである。ラベルプリンタ１３０によって印刷された印刷媒体は、付箋紙として使用され、例えばプリンタ１２０によって印刷された印刷媒体に貼り付けられる。
【００２２】
図１では、ＰＣ１１０とプリンタ（プリンタ１２０及びラベルプリンタ１３０）がＵＳＢケーブルなどによって直接接続されている例を示したが、ＰＣ１１０とプリンタは例えばＬＡＮなどのネットワークを介して接続されても良い。即ち、プリンタ１２０及びラベルプリンタ１３０はネットワークプリンタであってもよい。また、ＰＣ１１０とプリンタを接続するネットワークは有線に限られない。ＰＣ１１０とプリンタは、無線ＬＡＮやＢｌｕｅｔｏｏｔｈ（登録商標）などを用いて無線で接続されてもよい。
【００２３】
図３は、図１に示す印刷指示装置であるＰＣ１１０が実行する電子文書の印刷指示処理のフローチャートである。図４は、図３に示す電子文書の印刷指示処理におけるデータの流れを示す図である。図５は、補助情報が付加された電子文書の一例を示した図である。以下、図３から図５を参照しながら、図５に示す電子文書を印刷する場合を例にして、ＰＣ１１０で行われる電子文書の印刷指示処理について説明する。
【００２４】
図３に示す電子文書の印刷指示処理は、補助記憶装置１１０ｄまたは可搬記録媒体１１０ｆに記憶されている印刷指示プログラムがメモリ１１０ｂにロードされてＣＰＵ１１０ａで実行されることによって開始される。より具体的には、例えば、利用者が文書編集アプリケーションで図５に示す電子文書を参照中に印刷処理を選択し、文書編集アプリケーションが印刷指示プログラムを呼び出すことによって開始される。また、利用者が図５に示す電子文書を指定して、ＰＣ１１０に印刷指示プログラムを直接起動させることによって開始されてもよい。
【００２５】
図３に示す電子文書の印刷指示処理が開始されると、図４に示すように、まず、ＰＣ１１０の抽出部１１１が、補助情報が付加された図５に示す電子文書の文書データ（以降、補助情報付き文書データと記す）Ｄ１から、補助情報が付加される前の文書データである元文書データＤ２と、元文書データＤ２に付加された補助情報のデータである第１の補助情報データＤ３を抽出する（図３のステップＳ１）。ここで、元文書データＤ２は、図５に示す電子文書の文書部分ＤＣに対応するデータであり、第１の補助情報データＤ３は、図５に示す付箋部分ＳＮ１、付箋部分ＳＮ２、付箋部分ＳＮ３に対応するデータである。
【００２６】
なお、図５に示すように電子文書に複数の補助情報（ここでは、付箋部分ＳＮ１、付箋部分ＳＮ２、付箋部分ＳＮ３）が付加されている場合には、抽出部１１１は、補助情報毎に第１の補助情報データＤ３を抽出してもよく、また、複数の補助情報に対応する１つの第１の補助情報データＤ３を抽出してもよい。以降では、補助情報毎に第１の補助情報データＤ３が抽出された場合を例にして説明する。
【００２７】
抽出部１１１で抽出された元文書データＤ２は、図４に示すように、ＰＣ１１０にインストールされているプリンタ１２０用のプリンタドライバ１１２に送信される（図３のステップＳ２）。その後、元文書データＤ２を受信したプリンタドライバ１１２は、元文書データＤ２に基づく印刷指示をプリンタ１２０に送信する。これにより、図５に示す電子文書の文書部分ＤＣがプリンタ１２０によって印刷される。
【００２８】
一方、抽出部１１１で補助情報毎に抽出された第１の補助情報データＤ３は、図４に示すように、ＰＣ１１０の変換部１１３によって、ラベルプリンタ１３０用のラベルプリンタドライバ１１４の入力フォーマットに従った第２の補助情報データＤ４に変換される（図３のステップＳ３）。
【００２９】
変換部１１３は、単にデータのフォーマットを変換するだけではなく、ラベルプリンタ１３０で正常に印刷可能なデータにデータの内容を変更してもよい。例えば、第１の補助情報データＤ３が文字データである場合には、ラベルプリンタ１３０の印刷媒体の幅に合わせて、文字データのフォント、サイズ、文字間隔などを調整してもよい。また、第１の補助情報データＤ３がイメージデータである場合には、ラベルプリンタ１３０の印刷媒体の幅に合わせて、イメージデータを拡大または縮小してもよい。
【００３０】
つまり、変換部１１３は、電子文書に付加された補助情報がラベルプリンタドライバ１１４に設定されたサイズの印刷媒体にその印刷媒体からはみ出すことなく印刷されるような第２の補助情報データＤ４に、第１の補助情報データＤ３を変換する。
【００３１】
なお、変換部１１３は、複数の補助情報に対応する１つの第１の補助情報データＤ３を受信した場合には、第１の補助情報データＤ３を補助情報毎に分割して、分割したデータのそれぞれを第２の補助情報データＤ４に変換してもよい。
【００３２】
変換部１１３での変換により得られた第２の補助情報データＤ４は、図４に示すように、ＰＣ１１０にインストールされているラベルプリンタ１３０用のラベルプリンタドライバ１１４に送信される（図３のステップＳ４）。その後、第２の補助情報データＤ４を受信したラベルプリンタドライバ１１４は、第２の補助情報データＤ４に基づく印刷指示をラベルプリンタ１３０に送信する。これにより、図５に示す電子文書の付箋部分（付箋部分ＳＮ１、付箋部分ＳＮ２、付箋部分ＳＮ３）が、それぞれラベルプリンタ１３０で付箋紙に印刷される。以上により、図３に示す印刷指示処理が終了する。
【００３３】
上述したように、印刷指示装置であるＰＣ１１０を備える印刷システム１００では、補助情報が付加された電子文書の印刷を利用者が指示するだけで、補助情報を除いた文書部分が通常のプリンタ１２０で印刷され、さらに、補助情報が付箋紙にラベルプリンタ１３０で印刷される。このため、印刷指示装置であるＰＣ１１０及び印刷指示プログラムによれば、電子文書に付加された補助情報をラベルプリンタ１３０用のアプリケーションに手動で入力し直す必要がなく、電子文書に付加された補助情報の付箋紙への印刷を簡単に指示することができる。
【００３４】
なお、ラベルプリンタ１３０により補助情報が印刷された付箋紙は、プリンタ１２０により印刷された印刷媒体に貼り付けることができる。付箋紙を貼り付ける位置は電子文書上における付箋紙の位置に限られないため、電子文書上で付箋紙が文書部分と重なって表示されている場合であっても、文書部分と重ならないように付箋紙を貼り付けることができる。
【００３５】
また、変換部１１３は付箋紙のサイズに合わせて自動的に補助情報のデータを変換して、ラベルプリンタドライバ１１４へ出力する。このため、ＰＣ１１０及び印刷指示プログラムによれば、ラベルプリンタ１３０で使用する付箋紙のサイズに関わらず、補助情報を付箋紙内に印刷することができる。
【００３６】
上述した実施形態は、発明の理解を容易にするために本発明の具体例を示したものであり、本発明はこれらの実施形態に限定されるものではない。印刷指示装置、及び、プログラムは、特許請求の範囲に規定された本発明の思想を逸脱しない範囲において、さまざまな変形、変更が可能である。
【００３７】
例えば、印刷指示装置はＰＣに限られず、例えば、タブレット端末などの携帯端末や専用装置などであってもよい。また、印刷システムは、抽出部１１１が図３に示すステップＳ１の処理を行う前に、入力された電子文書に補助情報が付加されているか否かを判定する処理を行うことで、補助情報付き電子文書に限らず、任意の電子文書を印刷してもよい。
以下、本願の出願当初の特許請求の範囲に記載された発明を付記する。
【００３８】
［付記１］
第１のプリンタと第２のプリンタとに接続される印刷指示装置であって、
補助情報が付加された電子文書の文書データから、前記補助情報が付加される前の文書データである元文書データと、前記補助情報のデータである第１の補助情報データと、を抽出する抽出部と、
前記抽出部で抽出された前記元文書データに基づく印刷指示を、前記第１のプリンタへ送信する第１のプリンタ用のプリンタドライバと、
前記抽出部で抽出された前記第１の補助情報データを、前記第２のプリンタ用のプリンタドライバの入力フォーマットに従った第２の補助情報データに変換する変換部と、
前記変換部で変換された前記第２の補助情報データに基づく印刷指示を、前記第２のプリンタへ送信する第２のプリンタ用のプリンタドライバと、を備える
ことを特徴とする印刷指示装置。
【００３９】
［付記２］
付記１に記載の印刷指示装置において、
前記変換部は、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する
ことを特徴とする印刷指示装置。
【００４０】
［付記３］
第１のプリンタおよび第２のプリンタと、第１のプリンタと第２のプリンタとに接続される印刷指示装置とを含む印刷システムであって、
前記印刷指示装置は、
補助情報が付加された電子文書の文書データから、前記補助情報が付加される前の文書データである元文書データと、前記補助情報のデータである第１の補助情報データと、を抽出する抽出部と、
前記抽出部で抽出された前記元文書データに基づく印刷指示を、前記第１のプリンタへ送信する第１のプリンタ用のプリンタドライバと、
前記抽出部で抽出された前記第１の補助情報データを、前記第２のプリンタ用のプリンタドライバの入力フォーマットに従った第２の補助情報データに変換する変換部と、
前記変換部で変換された前記第２の補助情報データに基づく印刷指示を、前記第２のプリンタへ送信する第２のプリンタ用のプリンタドライバと、を備える
ことを特徴とする印刷システム。
【００４１】
［付記４］
付記３に記載の印刷システムにおいて、
前記印刷指示装置の前記変換部は、前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する
ことを特徴とする印刷システム。
【００４２】
［付記５］
電子文書の印刷をプリンタに指示するためのプログラムであって、
補助情報が付加された前記電子文書の文書データから、前記補助情報が付加される前の文書データである元文書データと、前記補助情報のデータである第１の補助情報データと、を抽出し、
前記元文書データを第１のプリンタ用のプリンタドライバに送信し、
前記第１の補助情報データを、第２のプリンタ用のプリンタドライバの入力フォーマットに従った第２の補助情報データに変換し、
前記第２の補助情報データを前記第２のプリンタ用のプリンタドライバへ送信する
処理をコンピュータに実行させることを特徴とするプログラム。
【００４３】
［付記６］
付記５に記載のプログラムにおいて、
前記第２のプリンタ用のプリンタドライバに設定されたサイズの印刷媒体に当該印刷媒体からはみ出すことなく前記補助情報が印刷されるような前記第２の補助情報データに、前記第１の補助情報データを変換する
処理をコンピュータに実行させることを特徴とするプログラム。    
【符号の説明】
【００４４】
１００                  印刷システム
１１０                  ＰＣ
１１１                  抽出部
１１２                  プリンタドライバ
１１３                  変換部
１１４                  ラベルプリンタドライバ
１１０ａ                ＣＰＵ
１１０ｂ                メモリ
１１０ｃ                入出力装置 
１１０ｄ                補助記憶装置
１１０ｅ                可搬記録媒体駆動装置
１１０ｆ                可搬記録媒体
１１０ｇ                ネットワーク装置
１１０ｈ                バス
１２０                  プリンタ
１３０                  ラベルプリンタ
Ｄ１                    補助情報付き文書データ
Ｄ２                    元文書データ
Ｄ３                    第１の補助情報データ
Ｄ４                    第２の補助情報データ
ＤＣ                    文書部分
ＳＮ１、ＳＮ２、ＳＮ３  付箋部分
【図１】
2015045987.tif 000003
【図２】
2015045987.tif 000004
【図３】
2015045987.tif 000005
【図４】
2015045987.tif 000006
【図５】
2015045987.tif 000007